(57)【特許請求の範囲】
【請求項１】
コンテンツにおける特定位置を示す指標部を表示可能な表示部と、
前記表示部への接触を検出する入力検出部と、を備えるタッチパネルと、
前記表示部における前記指標部への第１の接触が維持されたまま、前記入力検出部により第２の接触が検出されると、前記指標部から前記第２の接触が行われた第２の接触点までを拡大した拡大部を前記第１の接触が行われた第１の接触点を基端として前記表示部に表示させる制御部と、
を備える電子機器。
【請求項２】
請求項１に記載の電子機器であって、
前記制御部は、
前記拡大部内で第３の接触が行われると、前記指標部から前記第３の接触が行われた第３の接触点までを拡大した再拡大部を前記表示部に表示させること、
を特徴とする電子機器。
【請求項３】
請求項１または請求項２に記載の電子機器であって、
前記コンテンツは、音または動画で、
前記指標部は、前記コンテンツの先頭位置から終了位置までを示す第１のシークバーにおいて前記コンテンツの再生位置を示すスライダで、
前記拡大部は、前記第１のシークバーにおいて前記スライダと前記第２の接触が行われた第２の接触点との間の領域を拡大して表示する第２のシークバーである電子機器。
【請求項４】
請求項３に記載の電子機器であって、
前記制御部は、
前記第２のシークバーの全領域が前記表示部内に表示されるように前記第２のシークバーを曲げて表示する電子機器。
【請求項５】
請求項３に記載の電子機器であって、
前記第２のシークバーの全領域が前記表示部内に表示されるように前記第２のシークバーのスケールを設定する電子機器。
【請求項６】
請求項１または請求項２に記載の電子機器であって、
前記コンテンツは、静止画像で、
前記指標部は前記静止画像における処理範囲を規定する枠の一辺で、
前記拡大部は、前記静止画像の前記枠の一辺と前記第２の接触が行われた第２の接触点との間の領域を拡大した拡大画像である電子機器。
【請求項７】
請求項１または請求項２に記載の電子機器であって、
前記コンテンツは、静止画像で、
前記指標部は前記静止画像における処理範囲を規定する枠の一辺で、
前記拡大部は、前記静止画像の前記枠の一辺と前記第２の接触が行われた第２の接触点との間の領域を拡大した拡大画像であり、
前記制御部は、
前記拡大画像が前記表示部内に入るように、前記静止画像を移動して表示する電子機器。
【請求項８】
コンテンツにおける特定位置を示す指標部を表示可能な表示部と、
前記表示部への接触を検出する入力検出部と、を備えるタッチパネルを備えた電子機器の制御プログラムであって、
前記表示部における前記指標部への第１の接触が維持されたまま、前記入力検出部により第２の接触が検出されると、前記指標部から前記第２の接触が行われた第２の接触点までを拡大した拡大部を前記第１の接触が行われた第１の接触点を基端として前記表示部に表示させる電子機器の制御プログラム。
【発明の詳細な説明】
【技術分野】
【０００１】
本発明は、電子機器及び電子機器の制御プログラムに関するものである。
【背景技術】
【０００２】
タッチパネルに表示されたシークバー等のＧＵＩ(グラフィックユーザインターフェース)操作は、指等で行うことが多い。このため、微調整がしづらい。
従来、この問題への対策として、シークバーと直交する下方へのドラックを検出し、シークバーとドラッグの最終ポイントとの距離にしたがって、シークバーを拡大することにより、微調整を可能としている技術がある（特許文献１参照）。
【先行技術文献】
【特許文献】
【０００３】
【特許文献１】特表２０１３−５４６０９３号公報
【発明の概要】
【発明が解決しようとする課題】
【０００４】
しかし、この従来技術は、シークバーにタッチした後、シークバーと直交方向へドラッグする。したがって、直感的なスケール調整ではなく、ユーザへの周知が必要となる。また、ドラッグでスケール調整を行った後、再度ドラッグでスライダの調整をするため、微調整を行なうには２度のドラッグが必要となる。
【０００５】
本発明の課題は、微調整が容易な電子機器及び電子機器の制御プログラムを提供することである。
【課題を解決するための手段】
【０００６】
本発明は、以下のような解決手段により前記課題を解決する。
請求項１に記載の発明は、コンテンツにおける特定位置を示す指標部を表示可能な表示部と、前記表示部への接触を検出する入力検出部と、を備えるタッチパネルと、前記表示部における前記指標部への第１の接触が維持されたまま、前記入力検出部により第２の接触が検出されると、前記指標部から前記第２の接触が行われた第２の接触点までを拡大した拡大部を前記第１の接触が行われた第１の接触点を基端として前記表示部に表示させる制御部と、を備える電子機器である。
請求項８に記載の発明は、コンテンツにおける特定位置を示す指標部を表示可能な表示部と、前記表示部への接触を検出する入力検出部と、を備えるタッチパネルを備えた電子機器の制御プログラムであって、前記表示部における前記指標部への第１の接触が維持されたまま、前記入力検出部により第２の接触が検出されると、前記指標部から前記第２の接触が行われた第２の接触点までを拡大した拡大部を前記第１の接触が行われた第１の接触点を基端として前記表示部に表示させる電子機器の制御プログラムである。
【図面の簡単な説明】
【０００７】
【図１】本発明の第１実施形態の電子機器の簡易ブロック図である。
【図２】本実施形態のユーザ側の操作及び制御部の動作を示したフローチャートである。
【図３】（ａ）〜（ｃ）は、シークバー及びそのシークバーに対するユーザの操作を示した図である。
【図４】マイナス方向の範囲でスケール拡大を行なった形態を示した図である
【図５】第２シークバーを湾曲させた形態を示した図である。
【図６】（ａ）〜（ｃ）は第２実施形態の枠の位置の変更操作を説明する図である。
【図７】（ａ）及び（ｂ）拡大画像表示の一例を示した図である。
【発明を実施するための形態】
【０００８】
（第１実施形態）
図１は本発明の第１実施形態の電子機器１の簡易ブロック図である。本実施形態の電子機器１は、ＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔｓ）、携帯電話、スマートフォン、携帯ゲーム装置等であり、音声、音楽、動画等の再生時間により変化するコンテンツの再生が可能なものである。本実施形態ではコンテンツの一例として動画について説明する。
【０００９】
電子機器１は、タッチパネル２と、制御部３と、記憶部４とを備える。
記憶部４は、たとえば、電子機器１で再生する動画ファイルを記憶する。なお、本実施形態では、記憶部４から動画ファイルを読み出して再生する例で説明を行うがこれに限られない。例えば、電子機器１が図示しない通信部により外部のサーバ等と通信できる場合には、サーバ等に記憶されている動画ファイルを通信部を介してストリーミング再生することもできる。その場合は、電子機器１は記憶部４を有する必要はない。
タッチパネル２は、表示部２２と、入力検出部２１とを備える。
表示部２２は、液晶パネル等であって、各種操作項目や後述のシークバー２３，２４等を表示する。
入力検出部２１は、表示部２２に重ねて配置されたタッチ式の入力装置で、例えば、上部電極と下部電極とを有する抵抗膜方式である。
【００１０】
表示部２２に、その位置をタッチすると実施される操作項目が表示されている状態で、ユーザが、指等により表示部２２に表示された内容を選択して入力検出部２１にタッチする。そうすると、入力検出部２１の上部電極と下部電極とが接触し、それにより入力点の座標が認識される。制御部３は、その座標に基づいて、所定の動作を行う。
【００１１】
図２は本実施形態のユーザ側の操作及び制御部３の動作を示したフローチャートである。
まず、ユーザは動画の再生を希望する場合、タッチパネル２に表示された操作項目より動画再生を選択する（ステップＳ１１）。
そうすると、制御部３は、タッチパネル２より信号を受信し（ステップＳ２１）、記憶部４に記憶された動画ファイルの再生を、通常の速度で開始する（ステップＳ２２）。
【００１２】
制御部３は、再生の開始とともに、タッチパネル２の画面上に動画再生ＧＵＩとしてシークバー２３（動画コンテンツの開始から終了までを示す時間軸，シーケンスバー，タイムライン）を表示する（ステップＳ２３）。
図３（ａ）〜（ｃ）は、タッチパネル２のＧＵＩ表示の一例としてのシークバー２３，２４及びそのシークバー２３，２４に対するユーザの操作を示した図である。
シークバー（第１シークバー２３）は、図示するように表示部２２においてライン状に示されるもので、そのライン上には、現在の再生位置を示すスライダ(指標部)２５が表示される。スライダ２５は、動画の再生と共に移動し、動画の始めから終わりまでのうちどこを再生しているのかといった進行状況（再生位置または再生箇所）を、その位置によって示すものである。
【００１３】
ユーザは、再生箇所を移動したい場合（ステップＳ１２）、図３（ａ）に示すように、スライダ２５を人差し指等によりタッチ（第１タッチＴ１）する（ステップＳ１３）。そして、その第１タッチＴ１を維持したまま第１シークバー２３に沿って第１タッチＴ１の位置を矢印方向に移動（ドラッグ）する（ステップＳ１４）。なお、ユーザは、再生箇所を移動したい場合（ステップＳ１２）に、単に、第１シークバー２３上の再生したい再生箇所をタップしてもよい。タップとは、タッチパネル２をタッチし、直ちに離す操作である。
制御部３は、タッチパネル２より第１タッチＴ１を受信し（ステップＳ２４,ＹＥＳ）、その第１タッチＴ１がドラッグされると（ステップＳ２５，ＹＥＳ）、ドラッグされた位置まで動画の再生位置を移動する（ステップＳ２６）。
【００１４】
ユーザは、再生箇所の選択において微調整が必要な場合（ステップＳ１５，ＹＥＳ）、図３（ｂ）に示すように、人差し指の第１タッチＴ１を維持したまま、例えば中指で、拡大したい範囲の終点として、第１シークバー２３上のもう一点をタッチ（第２タッチＴ２）する（ステップＳ１６）。なお、微調整は、ユーザーが第１タッチＴ１（ステップＳ１３）を行った後、その第１タッチＴ１がドラッグ（ステップＳ１４）されることなく行われても良い。
制御部３は、タッチパネル２より第２タッチＴ２の検出信号を受信すると（ステップＳ２７，ＹＥＳ）、第１タッチＴ１と第２タッチＴ２との間の距離（すなわち時間ｔ）を演算する（ステップＳ２８）。そして制御部３は、第１タッチＴ１に対する第２タッチＴ２の方向を判定し（ステップＳ２９）、第１シークバー２３の拡大範囲を演算する（ステップＳ３０）。
【００１５】
次いで、制御部３は、図３（ｃ）に示すように第１シークバー２３と重なるように第２シークバー２４を表示する（ステップＳ３１）。
第２シークバー２４の始点は、第１タッチＴ１の位置(時間)であり、終点は第１シークバー２３上で第２タッチＴ２が行われた位置(時間)である。すなわち、第２シークバー２４の長さは、第１タッチＴ１から第２タッチＴ２までの時間ｔである。
第２シークバー２４のスケールは第１シークバー２３を拡大したもので、同じ時間の場合、示すバーが長い。具体的には、図３（ｃ）に示すように、画面上での第１シークバー２３の終点は４０ｍｉｎであるが、第２シークバー２４の終点は、１５ｍｉｎであり、同じ時間は３．５倍の長さのスケールで表示される。なお、第２シークバー２４のスケールは一例であり、第１シークバー２３のスケールを拡大するものであれば、設定によって任意のスケールで表示するように構成することができる。また、第２シークバー２４を表示した際、図３（ｃ）に示すようにスライダ２５を第１シークバー２３と共用するように構成することができる。また、図３（ｃ）では、第２シークバー２４が第１シークバー２３と重なった範囲においても第１シークバー２３が視認できるが、第２シークバー２４が第１シークバー２３と重なった範囲では第１シークバー２３が完全に隠れるように表示しても良い。
【００１６】
このように、第２シークバー２４は、第１シークバー２３よりも拡大表示されるので、ユーザは、スライダ２５が示す再生位置の微調整を容易に行うことができる。例えば、ユーザは第２シークバー２４の任意の再生位置をタップすることにより再生位置の微調整を行うことができる。あるいは、第２シークバー２４のスライダ２５をドラッグすることにより再生位置の微調整を行うことができる。
そして、第２シークバー２４は、ユーザが第１シークバー２３上においてスライダ２５から拡大したい方向に拡大したい距離だけ離れた点をタッチ(第２タッチＴ２)するだけで表示されるので、直感的に操作しやすい。すなわち、使用説明書等を読むことなく、感覚的に操作するだけで操作方法を容易に把握できる。
【００１７】
なお、本実施形態で、第１タッチＴ１で人差し指、第２タッチＴ２で中指か親指を使用する例について説明したが、これらの指に限定されず、どの指であってもよく、また、指以外のスタイラス等であってもよい。
【００１８】
ここで、ユーザは、さらなる微調整が必要なければ（ステップＳ１５，ＮＯ）、第１タッチＴ１を解除する（ステップＳ１８）。
制御部３は、第１タッチＴ１の解除を受信すると（ステップＳ３２，ＹＥＳ）、第２シークバー２４の表示を終了し（ステップＳ３３）。ステップＳ２４に戻る。
【００１９】
第１タッチＴ１が解除されない場合は（ステップＳ３２，ＮＯ）、ステップＳ２５に戻る。そして、第２シークバー２４に沿って、スライダ２５位置での第１タッチＴ１のドラッグが確認されると（ステップＳ２５，ＹＥＳ）、動画はその移動に伴い移動する（ステップＳ２６）。
【００２０】
ユーザが、第２シークバー２４が表示されている状態で、再度、第１タッチＴ１を維持したまま、別の指で第１タッチＴ１の位置から離れた位置をタッチ（第３のタッチ）すると、制御部３は、第３タッチの信号を受信する。そうすると、制御部３は、さらに第２シークバー２４をさらに拡大（再拡大表示）する。
これにより、第２シークバー２４の終点は拡大前において第２シークバー２４上で第３のタッチが行われた位置が示す時間となる。すなわち、第２シークバー２４において、第３のタッチが行われる前よりも、同じ時間を示す長さが、さらに長くなる。
【００２１】
図３においては、第２タッチＴ２が第１タッチＴ１に対してプラス方向（未来の方向）の場合について説明し、その場合、プラス方向の範囲でスケール拡大を行なう形態について説明した。なお、プラス方向とは、シークバー上で、現在の再生位置に対して再生時刻が後方の再生位置に相当する方向である。
しかし、本実施形態はマイナス方向（過去の方向）の範囲でスケール拡大を行なうことも可能である。マイナス方向とは、シークバー上で、現在の再生位置に対して再生時刻が前方の再生位置に相当する方向である。図４はマイナス方向の範囲でスケール拡大を行なった例を示した図である。図中点線で示すように第２タッチＴ２が第１タッチＴ１に対してマイナス方向（過去の方向）の場合は、図示するように第２シークバー２４は、マイナス方向へ拡大表示される。
【００２２】
また、第１タッチＴ１が第１シークバー２３の端部の近傍で、第２タッチＴ２がさらに端部側のとき、画面のスペースが足りないために第２シークバー２４を第１シークバー２３と同じ方向に延ばすことができない場合もある。第１タッチＴ１が第１シークバー２３の端部の近傍とは、例えば、コンテンツの最後に近い再生位置である場合である。
その場合は、例えば、図５に示すように、第２シークバー２４を、第１シークバー２３の端部において逆方向に曲げ、プラスマイマス逆方向に第１シークバー２３と平行に延ばす。ただし、これに限定されず、画面内において他の方向に延ばしても良い。
このように、第２シークバー２４を延ばすスペースがない場合であっても、第２シークバー２４を折り曲げて表示することで、第２シークバー２４を表示することができる。
なお、第２タッチがシークバー２３上でなかった場合は、スケール変化は行われない。
【００２３】
（第２実施形態）
次に、本発明の第２実施形態について説明する。
第１実施形態では、動画再生、動画編集等のシークバー２３を用いるＧＵＩについて説明したが、第２実施形態は、コンテンツが静止画で、画面の切り取りや操作範囲を確定するための領域の枠を変更する場合について説明する。図６（ａ）〜（ｃ）は第２実施形態の枠の位置の変更操作を説明する図である。
【００２４】
まず、タッチパネル２に画像が表示されている状態で、ユーザが操作項目より、画像内の領域選択を指定すると、枠２６が表示される。枠２６は、例えば、画像のトリミングに用いられる枠である。
ユーザは、枠２６のうちの１辺の枠線(指標部)２６ａを移動したい場合、図６（ａ）に示すように、移動したい枠線２６ａを人差し指等によりタッチ（第１タッチ）Ｔ１する。そして、その第１タッチＴ１を維持したまま枠線２６ａを移動した方向にドラッグする。
制御部３は、タッチパネル２より第１タッチＴ１を受信し、その第１タッチＴ１がドラッグされると、ドラッグされた位置まで枠線２６ａを移動する。
【００２５】
ユーザは、移動したい枠線２６ａの微調整が必要で画像の拡大を希望する場合、図６（ｂ）に示すように人差し指の第１タッチＴ１を維持したまま、例えば中指で、拡大を希望する領域の端部として画面上のもう一点をタッチ（第２タッチＴ２）する。
制御部３は、タッチパネル２より第２タッチＴ２の検出信号を受信すると、図６（ｃ）に示すように枠線２６ａと第２タッチＴ２との間の所定領域を拡大した拡大領域Ｓを表示する。
ユーザは、このように、拡大領域Ｓが表示されるので、枠線２６ａの微調整を行いやすい。
【００２６】
ここで、図７（ａ）のように、第２タッチＴ２が、タッチパネル２の表示画面の端部Ａに近い場合、拡大表示するスペースが足りない場合がある。
このときは、図７（ｂ）に示すように、元画像が、拡大方向（図中＋方向）と逆方向（図中−方向，太い矢印方向）に移動する。このときに移動する量は、枠線２６ａを始線として拡大領域Ｓが表示できるだけの量である。
そして、タッチパネル２の表示領域の端部Ａと元画像の端部Ｂとの間に元画像が表示されない非領域Ｃができ、その非領域Ｃも含めた範囲に拡大領域Ｓが表示される。
これにより、ユーザは、枠線２６ａの微調整を行うことが可能となる。
【００２７】
以上、上述の第１実施形態及び第２実施形態によると、以下の効果を有する。
（１）画面上で位置を指定する際、拡大領域が表示されるので、位置の微調整を容易に行うことができる。
（２）拡大領域の表示方法は、第１タッチからユーザが拡大したい方向にタッチ(第２タッチＴ２)するだけなので、直感的に操作しやすい。すなわち、使用説明書等を読むことなく、感覚的に操作するだけで操作方法を容易に把握できる。（３）第１タッチと第２タッチとの間の領域を拡大領域として選択することにより、直感的に拡大領域の選択ができる。また、２本の指の間隔によって微調整と粗調整を切り替え、対応するＧＵＩ表示を行なう。指の間隔によって調整を行なう範囲を指定することで、ユーザは直感的に微調整／粗調整を切り替えることができる。
【符号の説明】
【００２８】
１：電子機器、２：タッチパネル、３：制御部、４：記憶部、２１：入力検出部、２２：表示部、２３：第１シークバー、２４：第２シークバー、２５：スライダ、２６：枠、２６ａ：枠線
【図１】
0006481310.tif 000002
【図２】
0006481310.tif 000003
【図３】
0006481310.tif 000004
【図４】
0006481310.tif 000005
【図５】
0006481310.tif 000006
【図６】
0006481310.tif 000007
【図７】
0006481310.tif 000008